(57)【要約】【課題】扉の建て込みが容易にできる折戸を提供する。【解決手段】本発明にかかる折戸１は、吊元側扉１９と、吊元側扉１９に連結された戸先側扉２１と、吊元側扉１９と戸先側扉２１に各々設けたピボットヒンジ２５、２７を備え、ピボットヒンジ２５、２７は、ピボット３１と受け３３からなり、ピボット３１は、受け３３に対して上下動自在で且つ垂直軸回りに回転自在であり、レール１５に位置決めするためのレール端部呑込溝３７ａと、レール端部呑込溝３７ａに交差するレール摺動溝３７ｂと、ストッパー当接部３９を有し、受け３３は、ストッパー当接部３９に当接してレール１５がレール摺動溝３７ａに呑み込まれるまでピボット３１を下動させないストッパー２９を取り付け自在であり、吊元側扉１９のピボットヒンジ２５の受け３３には、ストッパー２９が取り付けてある。【選択図】図１
2018131836.tif 000002
【特許請求の範囲】
【請求項１】
吊元側扉と、吊元側扉に連結された戸先側扉と、吊元側扉と戸先側扉に各々設けたピボットヒンジを備え、
ピボットヒンジは、ピボットと受けからなり、
ピボットは、受けに対して上下動自在で且つ垂直軸回りに回転自在であり、レールに位置決めするためのレール端部呑込溝と、レール端部呑込溝に交差するレール摺動溝と、ストッパー当接部を有し、
受けは、ストッパー当接部に当接してレールがレール摺動溝に呑み込まれるまでピボットを下動させないストッパーを取り付け自在であり、吊元側扉のピボットヒンジの受けには、ストッパーが取り付けてある折戸。
【発明の詳細な説明】
【技術分野】
【０００１】
本発明は、折戸に関する。
【背景技術】
【０００２】
特許文献１には、折戸において、扉を建て込むときに上下動自在なピボットヒンジを用いて、ピボットヒンジをレールに係合して建て込むことが開示されている。
【先行技術文献】
【特許文献】
【０００３】
【特許文献１】特開平１０−１３１５９７号公報
【発明の概要】
【発明が解決しようとする課題】
【０００４】
しかし、ピボットヒンジを用いて、扉を建て込む折り戸において、より容易に建て込みできる折戸が求められていた。  
【０００５】
そこで、本発明は、扉の建て込みが容易にできる折戸の提供を目的とする。
【課題を解決するための手段】
【０００６】
請求項１に記載の発明は、吊元側扉と、吊元側扉に連結された戸先側扉と、吊元側扉と戸先側扉に各々設けたピボットヒンジを備え、ピボットヒンジは、ピボットと受けからなり、ピボットは、受けに対して上下動自在で且つ垂直軸回りに回転自在であり、レールに位置決めするためのレール端部呑込溝と、レール端部呑込溝に交差するレール摺動溝と、ストッパー当接部を有し、受けは、ストッパー当接部に当接してレールがレール摺動溝に呑み込まれるまでピボットを下動させないストッパーを取り付け自在であり、吊元側扉のピボットヒンジの受けには、ストッパーが取り付けてある折戸である。
【発明の効果】
【０００７】
請求項１に記載の発明によれば、吊元側扉と決めたピボットヒンジの受けにストッパーを取り付けるだけで、吊元側が設定できるので、扉の建て込みが容易にできる。
また、吊元側扉のピボットの取り付け方によって、扉建て込み時の誤取付けが防止できる。
【図面の簡単な説明】
【０００８】
【図１】本発明の実施の形態にかかる折戸であって、吊元側扉にピボットヒンジを装着した部分を示す図であり、（１ａ）はピボットが正しい取り付け位置にあるときの平面図、（１ｂ）は（１ａ）のピボットをレール端部に対して下動させた状態を示す側面図、（２ａ）はピボットが誤った取り付け位置にあるときの平面図、（２ｂ）は（２ａ）のピボットとレールとの関係を示す側面図である。
【図２】吊元側扉のピボットがレールに装着した状態を示す図であり、（ａ）は側面図、（ｂ）は平面図である。
【図３】本実施の形態にかかる折戸であって、枠に扉を取り付ける手順を示す図であり、（ａ）は吊元側扉にストッパーを装着する前の状態を示す斜視図であり、（ｂ）は畳んだ状態の扉の下端を下枠のレールに係合させた状態を示す斜視図である。
【図４】本実施の形態にかかる折戸であって、枠に扉を取り付ける手順を示す図であり、（ａ）は下枠のレールに装着した扉を広げた状態を示す斜視図、（ｂ）は（ｃ）に示すＥ部及びＦ部におけるピボットヒンジの平面図、（ｃ）は吊元側と戸先側の各ピボットヒンジを上枠レールに係合する前の状態を示す斜視図である。
【図５】本実施の形態にかかる折戸であって、扉上部の分解斜視図である。
【図６】（ａ）はストッパーの斜視図、（ｂ）はストッパーを装着した受けの斜視図である。
【図７】ストッパーの図であり、（ａ）は平面図、（ｂ）は左側面図、（ｃ）は正面図、（ｄ）は裏面図である。
【図８】ピボットヒンジの図であり、（ａ）は正面図、（ｂ）は平面図、（ｃ）は側面図である。
【図９】ピボットの各位置におけるストッパーとの関係を示す平面図であり、Ａ列（ａ）〜（ｄ）は吊元側ピボットであり、Ｂ列（ａ）〜（ｄ）は戸先側ピボットである。
【図１０】本発明の実施の形態にかかる折戸であって、戸先側扉にピボットヒンジを装着した部分を示す図であり、（１ａ）はピボットが正しい取り付け位置にあるときの平面図、（１ｂ）は（１ａ）のピボットをレール端部に対して下動させた状態を示す側面図、（２ａ）はピボットが誤った取り付け位置にあるときの平面図、（２ｂ）は（２ａ）のピボットとレールとの関係を示す側面図である。
【図１１】本実施の形態にかかる折戸であって、扉を折った状態にあるときの下面を示す平面図である。
【図１２】本実施の形態にかかる折戸の縦断面図である。
【図１３】本実施の形態にかかる折戸の横断面図である。
【図１４】本実施の形態にかかる折戸を浴室側から見た正面図である。
【発明を実施するための形態】
【０００９】
以下に、添付図面を参照して本発明の実施の形態を説明する。  
図１２〜図１４に示すように、本実施の形態にかかる折戸１は、浴室折戸であり、枠体３と、扉体（扉）５とを備えている。  
枠体３は、上枠７と、下枠９と、戸先側縦枠１１と、吊元側縦枠１３とを枠組みしてあり、上枠７には上レール１５が設けてあり、下枠９には下レール１７が設けてある。  
扉体５は、吊元側扉１９と戸先側扉２１とを備え、吊元側扉１９と戸先側扉２１は中間框２３により折り畳み自在に連結されている。  
戸先側扉２１には、浴室側に取手１８が取付けてある。扉体５は、左開き仕様及び右開き仕様のいずれの使用にも対応できるものであり、施工現場で仕様に合わせて取手１８を左右いずれかの扉１９、２１に取り付けるようになっている。本実施の形態では、図１３及び図１４に示すように、浴室側から見て右側を吊元側扉１９とし、左側を戸先側扉２１としている。  
図５に示すように、吊元側扉１９の吊元框１９ａの上端には、上レール１５に係合する吊元側ピボットヒンジ２５が取付けてあり、戸先側扉２１の戸先框２１ａの上端には上レール１５に係合する戸先側ピボットヒンジ２７が取付けてある。  
図１（１ａ）（１ｂ）及び図１０（１ａ）（１ｂ）に示すように、上レール１５は、左右端を切除して、吊元側のレール端部１５ａと戸先側のレール端部１５ｂが形成してある。  
【００１０】
図５に示すように、吊元側ピボットヒンジ２５と、戸先側ピボットヒンジ２７とは、後述するストッパー２９が装着してあるか否かの相違以外には、略同じ構成であるから、吊元側ピボットヒンジ２５の構成について説明し、戸先側ピボットヒンジ２７には同一の作用効果を奏する部分には同一の符号を付して、その部分の説明を省略する。  
図５及び図８に示すように、吊元側ピボットヒンジ２５は、ピボット３１と、受け３３とばね３４から構成されている。  
ピボット３１には、基部３５と、基部３５の上部に設けたレール係合部３７と、ストッパー当接部３９が一体に形成されている。基部３５は、ばね３４と共に受け３３内に収納されており、受け３３内で垂直軸回りに回転自在である。  
ばね３５は、圧縮ばねであり、受け３３に対してピボット３１を上下動自在に支持している。  
レール係合部３７は、受け３３から上方に突出しており、基部３５と共にばね３５の付勢力に抗して下方に移動自在である。  
レール係合部３７には、上レール１５の端部に位置決めするレール端部呑込溝３７ａとレール摺動溝３７ｂとが形成されている。  
レール端部呑込溝３７ａとレール摺動溝３７ｂとは、レール係合部３７の上面において互いに交差して形成してあり、本実施の形態では直交している。  
レール摺動溝３７ｂはレール係合部３７の上面において一端から他端に亘って連続して開いた溝であり、レール端部呑込み溝３７ａはレール係合部３９の上面において一端から他端の途中まで形成されており、閉鎖部３６で閉じた溝としてある。尚、閉鎖部３６は各図の平面視においてはハッチで示す。  
ストッパー当接部３９は、レール係合部３７の外周側に突設しており、本実施の形態では受け３３より外周側に略１８０度に亘って突出している。  
【００１１】
図５、図６（ｂ）及び図８に示すように、受け３３は、ピボット３１の基部３５を収納する収納部３３ａと、位置決め部３３ｂと、ストッパー装着部３３ｃと、緊急操作部３３ｄとが設けてある。  
収納部３３ａは円筒状を成しており、胴部に緊急操作部３３ｄの装着孔４１が形成されている。  
位置決め部３３ｂは、戸先框２１ａ又は吊元框１９ａに取付けるときの向きを決めるものであり、上框２２に向けて突設してあり、戸先框２１ａに装着され受け３３と、吊元框１９ａに装着される受け３３とは、互いに対向する向きに位置決め部３３ｂを配置して位置決めするものである。  
ストッパー装着部３３ｃは、収納部３３ａの上面に設けてあり、ストッパー２９の輪郭形状の凹部が形成されている。  
緊急操作部３３ｄは装着孔４１を介してピボット３１の基部３５に取り付けてある。緊急操作部３３ｄは収納部３３ａに対して上下動自在であり、緊急時にピボット３１を下動操作するものである。  
【００１２】
図６及び図７に示すように、ストッパー２９は、受け３３の上面に設けたストッパー装着部３３ｃ（図８参照）に離脱自在に取り付けてある。ストッパー２９は所定の厚みＨを有し、ピボット３１のストッパー当接部３９が当たることで、ピボット３１の下動を阻止するものである。  
ストッパー２９には、その一側に受け３３に取り付ける取付け部４２が設けられている。  
ストッパー２９は、図５に示すように、吊元側ピボットヒンジ２５にのみ装着するものであり、戸先側ピボットヒンジ２７には装着しない。  
【００１３】
図３（ｂ）及び図１１に示すように、吊元框１９ａの下端には吊元下ピボット４５が取付けてあり、戸先框２１ａの下端には戸先下ピボット４７が取付けてある。各下ピボット４５、４７は、対応する框１９ａ、２１ａに対して回転自在に取り付けてある。吊元下ピボット４５には、下レール１７を呑込む下レール係合溝４３ａが形成されており、戸先下ピボット４７には下レール１７を走行する下レール係合溝４３ｂが形成されている。尚、下レール係合溝４３ｂに戸車４４が配置されている。  
【００１４】
次に、扉体５の建て込みについて説明する。  
図８に示すように、吊元側ピボットヒンジ２５と戸先側ピボットヒンジ２７を組み立てるが、いずれも同種の受け３３と、ばね３４と、ピボット３１を用いて、受け３３の収納部３３ａにピボット３１の基部３５をばね３４と共に収納する。各ピボットヒンジ２５、２７は共通の構成であるから、いずれが吊元側か戸先側かは問わない。  
そして、これらのピボットヒンジ２５、２７をそれぞれ吊元側扉１９の吊元框１９ａと、戸先側扉２１の戸先框２１ａに装着する。  
その後、扉体５の吊元側と戸先側とを確認し、図３（ａ）に示すように、吊元側ピボットヒンジ２５にはストッパー２９を取り付ける。ストッパー２９は受け３３の上面において上框２２側に取り付ける。吊元側ピボットヒンジ２５のレール係合部３７では、ストッパー当接部３９がストッパー２９と反対側に位置するように、レール係合部３７の位置を決める。このレール係合部３７の位置では、レール呑込溝３７ａが上框２２の長手方向に沿う位置にある。  
【００１５】
一方、戸先側ピボットヒンジ２７では、図１０（１ａ）及び（１ｂ）に示すように、ストッパー当接部３９が戸先側扉２１の見付面側（図１０（１ａ）（１ｂ）では浴室側見付面側）に位置するように、レール係合部３７の位置を決める。このレール係合部３７の位置では、レール摺動溝３７ｂが扉体５の見付面に沿う方向に位置する。  
次に、図３（ｂ）に示すように、扉体５について吊元側扉１９と戸先側扉２１を重ねるように畳んだ状態にして、上枠７及び下枠９の長手方向略中央で、枠体３内に浴室側から下側を挿入し、吊元框１９ａの吊元下ピボット４５と戸先框２１ａの戸先下ピボット４７の対応する下レール係合溝４３ａ、４３ｂを下レール１７に係合する。  
次に、扉体５を立てて、図４（ａ）に矢印Ｋで示すように、吊元框１９ａ及び戸先框２１ａが離れるように、各々下レール１７を走行させて、扉体５を広げて、吊元側扉１９と戸先側扉２１を閉じ状態にする。  
尚、この状態では、扉体５の上側では各ピボット３１が受け３３から上に飛び出した状態にあり、各レール係合部３７は上レール１５の浴室側にある。  
【００１６】
図１（１ａ）（１ｂ）に示すように、吊元側ピボットヒンジ２５では、上レール１５のレール端部１５ａにおいて、ストッパー当接部３９をばね３４の付勢力に抗して手で押下げ、レール係合部３７を上レール１５の下に配置した後、ストッパー当接部３９を押下げている手を放す。これにより、図２（ａ）（ｂ）に示すように、ばね３４が復帰してレール係合部３７が上昇し、レール端部呑込み溝３７ａが上レール１５のレール端部１５ａを呑込む。  
図１０（１ａ）（１ｂ）に示すように、戸先側ピボットヒンジ２７においても、吊元側ピボットヒンジ２５と同様に、ストッパー当接部３９をばね３４の付勢力に抗して手で押下げ、レール係合部３７を上レール１５の下に配置して、ストッパー当接部３９を押下げている手を放すことで、レール係合部３７が上昇し、レール摺動溝３７ｂが上レール１５を呑込む。  
これにより扉体５の建て込みが完了する。  
【００１７】
浴室側から閉じ状態にある折戸１を開くときには、取手１８を手前に引く。これにより吊元側ピボットヒンジ２５では、レール端部呑込み溝３７ａが上レール１５のレール端部１５ａを呑み込んで係止した状態にあるから、上レール１５を走行することなく、ピボット３１が回転のみを行う。一方、戸先側ピボットヒンジ２７ではレール摺動溝３７ｂが上レール１５を摺動して、戸先框２１ａが上レール１５を走行して、吊元側扉１９に戸先側扉２１が重なるようにして折畳まれる。  
【００１８】
次に、吊元側ピボットヒンジ２５について、誤取付けの防止について説明する。
図１（２ａ）（２ｂ）に示すように、レール係合部３７の向きが正しくないため、上レール１５のレール端部１５ａの下にレール端部呑込溝３７ａでなく、レール摺動溝３７ｂが位置する場合には、ストッパー当接部３９を押し下げようとすると、ストッパー当接部３９がストッパー２９に当接して、ストッパー２９がピボット３１を下動させない。  
これにより、ピボット３１が下がらないので、上レール１５にレール摺動溝３７ｂを嵌めることができない。ピボット３１を上レール１５に呑み込ませることができないから、作業者はピボット３１のレール係合部３７の向きが誤りであることに気が付く。  
そして、作業者は、レール係合部３７の向きを図１の（１ａ）に示す正しい向きに直して、再度、図１の（１ｂ）に示すように、レール係合部３７を押し下げて、図２に示すように上レール１５に嵌め込む。  
【００１９】
ここで、図９をレール係合部３７の各種の向きとストッパー２９との関係について説明する。図９のＡ列（ａ）〜（ｄ）は、吊元側ピボットヒンジ２５を示している。図９（ａ）に示す状態では、ストッパー２９に対してストッパー当接部３９が反対側に位置しており、図１（ａ）と同じ状態にあるから、正しい取付け位置にある。
図９（ｂ）は、図９（ａ）に示す位置からストッパー係合部３７を浴室側に９０度回動した状態であるが、図１（２ａ）と同じ状態であり、誤取付けの位置にある。この状態では、既に説明したように、ストッパー当接部３９を押し下げようとするとストッパー２９に当接するから、ピボット３１が下動しない。  
図９（ｃ）は、図９（ａ）に示す位置からストッパー係合部３７を脱衣室側に９０度回動した状態であるが、図１（２ａ）と同様にストッパー当接部３９は平面視でストッパー２９に重なる位置にある。この位置でも、誤取付け位置にあるから、ストッパー２９はピボット３１を下動させない。  
図９（ｄ）は、図９（ａ）に示す位置からストッパー係合部３７を１８０度回動した状態である。この状態でも、平面視においてストッパー当接部３９はストッパー２９に重なる位置にあるから、ストッパー２９はピボット３１を下動させない。  
したがって、この実施の形態では、ストッパー当接部３９の各回動位置において、正しい１つの位置のみ（図９Ａ列（ａ））であり、それ以外は誤取付け位置であるが、誤取付け位置ではピボット３１は下動しないのでいずれも、上レール１５を呑込むことができない。  
【００２０】
尚、レール係合部３７が、図９Ａ列（ｂ）（ｃ）に示す位置にあるときに誤取付けとしているのは、レール摺動溝３７ｂが上レール１５を呑込んだ状態にすると、吊元框１９ａが摺動してしまい、折戸１を開いて吊元側扉１９と戸先側扉２１を重ねたときに、その重ねた状態で吊元側扉１９と戸先側扉２１とが上レール１５を摺動して倒れるおそれがあるからである。  
一方、図９（ｄ）では、ストッパー係合部３９において、レール端部呑込溝３７ａの閉鎖部３６が上レール１５に当ってピボット３１を装着できない位置だから、誤取付け位置としている。  
【００２１】
次に、戸先側ピボットヒンジ２７のレール係合部３７と上レール１５との関係について説明する。  
戸先側ピボットヒンジ２７には、ストッパー２９は取付けていないから、ピボット３１は、図９Ｂ列の（ａ）〜（ｄ）のいずれの位置にあるときでも下動できる。しかし、図９のＢ列（ｄ）の場合には、レール端部呑込溝３７ａの閉鎖部３６が上レール１５の下に位置するから、この閉鎖部３６が上レール１５に当り、ピボット３１は上レール１５の呑込みができない。  
これに対して、図９のＢ列（ａ）（ｂ）（ｃ）は、レール端部呑込溝３７ａやレール摺動溝３７ｂが上レール１５の下にあるときには、いずれも呑込み可能な状態になる。Ｂ列（ａ）は、レール係合部３７は図１０（１ａ）に示す正しい位置であり、レール摺動溝３７ｂが上レール１５を呑込む位置にある。同様に、Ｂ列（ｃ）も正しい取付け位置にある。  
一方、Ｂ列（ｂ）の場合には、図１０（２ａ）（２ｂ）に示すように、レール端部呑込溝３７ａが上レール１５の戸先側端部１５ｂを呑込む。この場合には、吊元側レール端部１５ａを吊元側ピボットヒンジ２５が呑み込んで吊元框１９ａが係止されるのと同様に、戸先側レール端部１５ｂを戸先側ピボットヒンジ２７が呑み込んで戸先框２１ａも係止されてしまうから、扉体５は開くことができない。したがって、作業者は誤取付けであることに気が付くので、直ぐに正しい取付けに修正することができる。  
【００２２】
次に、本実施の形態にかかる折戸１の作用効果について説明する。  
図１に示すように、本実施の形態にかかる折戸１によれば、吊元側扉１９と決めたピボットヒンジ２５の受け３３にストッパー２９を取り付けるだけで、吊元側が設定できるので、扉体（扉）５の建て込みが容易にできる。  
また、吊元側扉１９のピボット３１の取り付け方によって、扉体５の建て込み時の誤取付けが防止できる。即ち、吊元側ピボットヒンジ２５は、レール端部呑込溝３７ａがレール端部１５ａを呑み込む位置にあるときのみに、ピボット３１が下動して上レール（レール）１５を呑込むことができ、レール端部呑込溝３７ａがレール端部１５ａを呑み込む位置にないときには、ストッパー当接部３９がストッパー２９に当接して、ピボット３１を下動させないから、レール端部１５ａを呑込むことができないので、誤取付けを防止できる。  
【００２３】
図５に示すように、いずれの扉を吊元側扉１９にするかが決まってから、吊元側扉１９の受け３３にストッパー２９を取り付ける構造としているので、ピボットヒンジ２５、２７を吊元側と戸先側とで兼用させることができ、製造コストを抑えることができる。  
図９のＡ列で示すように、ストッパー当接部３９は、ピボット３１のレール係合部３７に１８０度の角度に亘って設けているので、３つの位置でストッパー２９に当接させことができ、４つの位置のうち正しい１の位置（図９（ａ））のみで上レール１５に装着できる。  
ストッパー２９は脱着自在であるから、例えば、誤って戸先側扉２１に装着した場合でも直ぐに外して正しい吊元側扉１９に装着し直すことができる。  
【００２４】
本発明は、上述した実施の形態に限らず、本発明の要旨を逸脱しない範囲で種々変形可能である。  
例えば、ストッパー当接部３９は、１８０度の範囲に亘って１つ形成することに限らず、９０度毎に隣り合わせに２つ設けても良い。  
ストッパー２９は１つに限らず、２つに分割したものであっても良い。  
折戸１は、浴室戸に限らず、間仕切りや建物の出入口に設けるものであっても良い。  
【符号の説明】
【００２５】
１    折戸
１５  上レール（レール）
１９  吊元側扉
２１  戸先側扉
２５  吊元側ピボットヒンジ
２７  戸先側ピボットヒンジ
２９  ストッパー
３１  ピボット
３３  受け
３７ａ  レール端部係合溝
３７ｂ  レール摺動溝
３９    ストッパー当接部
【図１】
2018131836.tif 000003
【図２】
2018131836.tif 000004
【図３】
2018131836.tif 000005
【図４】
2018131836.tif 000006
【図５】
2018131836.tif 000007
【図６】
2018131836.tif 000008
【図７】
2018131836.tif 000009
【図８】
2018131836.tif 000010
【図９】
2018131836.tif 000011
【図１０】
2018131836.tif 000012
【図１１】
2018131836.tif 000013
【図１２】
2018131836.tif 000014
【図１３】
2018131836.tif 000015
【図１４】
2018131836.tif 000016